(57)【要約】【課題】防水性や外観の低下が生じにくい屋根を提供する。【解決手段】複数の屋根材１０が軒棟方向Ｘと軒棟方向Ｘと直交する横方向Ｙとに並んでいる屋根である。各屋根材１０は、矩形の板部１１と、板部１１の軒棟方向Ｘと平行な一方の端部に設けられた嵌合部１２と、板部１１の軒棟方向Ｘと平行な他方の端部に設けられた被嵌合部１３とを備える。嵌合部１２の軒棟方向Ｘの寸法及び被嵌合部１３の軒棟方向Ｘの寸法はそれぞれ板部１１の軒棟方向Ｘの寸法よりも短く形成されている。棟側の屋根材１０ｃの嵌合部１２の軒側端部と、軒側の屋根材１０ａの嵌合部１２の棟側端部とは軒棟方向Ｘに並んで配置されている。棟側の屋根材１０ｃの被嵌合部１３の軒側端部と、軒側の屋根材１０ａの被嵌合部１３の棟側端部とは軒棟方向Ｘに並んで配置されている。嵌合部１２及び被嵌合部１３の軒側端部と棟側端部とを覆うキャップ２０を備える。【選択図】図１
2020029756.tif 000002
【特許請求の範囲】
【請求項１】
複数の屋根材が軒棟方向と前記軒棟方向と直交する横方向とに並んでいる屋根であって、
前記各屋根材は、矩形の板部と、前記板部の前記軒棟方向と平行な一方の端部に設けられた嵌合部と、前記板部の前記軒棟方向と平行な他方の端部に設けられた被嵌合部とを備え、前記嵌合部の軒棟方向の寸法及び前記被嵌合部の軒棟方向の寸法はそれぞれ前記板部の軒棟方向の寸法よりも短く形成されており、
前記横方向で隣接している二つの前記屋根材は、一方の前記屋根材の前記嵌合部と他方の前記屋根材の前記被嵌合部とが嵌合しており、
前記軒棟方向で隣接している二つの前記屋根材は、棟側の前記屋根材の前記板部の軒側端部が、軒側の前記屋根材の前記板部の棟側端部の表面側に重ねられており、
前記棟側の前記屋根材の前記嵌合部の軒側端部と、前記軒側の前記屋根材の前記嵌合部の棟側端部とは前記軒棟方向に並んで配置されており、
前記棟側の前記屋根材の前記被嵌合部の軒側端部と、前記軒側の前記屋根材の前記被嵌合部の棟側端部とは前記軒棟方向に並んで配置されており、
前記嵌合部の前記軒側端部と前記棟側端部及び前記被嵌合部の前記軒側端部と前記棟側端部とを覆うキャップを備える
屋根。
【請求項２】
請求項１において、
少なくとも、前記棟側の前記屋根材の前記被嵌合部の軒側端面と、前記軒側の前記屋根材の前記被嵌合部の棟側端面とが突付けられている
屋根。
【請求項３】
請求項１において、
前記棟側の前記屋根材の前記嵌合部の軒側端面と、前記軒側の前記屋根材の前記嵌合部の棟側端面との間に間隙を有し、
前記棟側の前記屋根材の前記被嵌合部の軒側端面と、前記軒側の前記屋根材の前記被嵌合部の棟側端面との間に間隙を有している
屋根。
【請求項４】
請求項１ないし３のいずれか一項において、
前記キャップは、前記嵌合部及び前記被嵌合部に装着されている装着部と、前記装着部から前記横方向に突出する押さえ部とを備え、
前記押さえ部は、前記棟側の前記屋根材の前記板部の前記軒側端部を前記軒側の前記屋根材の前記板部の前記棟側端部の表面側に圧着している
屋根。
【請求項５】
請求項１ないし４のいずれか一項において、
前記棟側の屋根材は、前記板部の前記軒側先端部に前記板部の裏面側に断面への字状に折り曲げられた折り曲げ部を備え、
前記折り曲げ部が前記軒側の屋根材の前記板部の棟側端部の表面側に重ねられている
屋根。
【請求項６】
請求項１ないし５のいずれか一項において、
前記棟側の屋根材の前記板部の軒側端部の裏面と、前記軒側の屋根材の前記板部の棟側端部の表面との間に防水材を設けている
屋根。
【発明の詳細な説明】
【技術分野】
【０００１】
本発明は、屋根に関する。詳しくは、本発明は、複数の屋根材を軒棟方向及び軒棟方向と直交する横方向とに並設して形成される屋根に関する。
【背景技術】
【０００２】
従来、複数の屋根材を軒棟方向及び軒棟方向と直交する横方向とに並設することにより、屋根を形成することが行われている。このような屋根材の一例として、特許文献１には金属製の縦葺屋根材が提案されている。この縦葺屋根材は鋼板等の金属板を成形して形成されるものであって、矩形板状の屋根材本体と、屋根材本体の一方の長手方向の端部に設けられた上ハゼと、屋根材本体の他方の長手方向の端部に設けられた下ハゼとを備えて形成されている。上ハゼ及び下ハゼは屋根材本体の長手方向の全長にわたって設けられている。
【０００３】
このような縦葺屋根材にあって、軒棟方向で隣接する二枚の縦葺屋根材は、軒側の縦葺屋根材の屋根材本体の棟側端部の上に、棟側の縦葺屋根材の屋根材本体の軒側端部を重ね、軒側の縦葺屋根材の上ハゼの棟側端部に、棟側の縦葺屋根材の上ハゼの軒側端部を嵌め込み、軒側の縦葺屋根材の下ハゼの棟側端部に、棟側の縦葺屋根材の下ハゼの軒側端部を嵌め込むことによって、接続される。また横方向で隣接する二枚の縦葺屋根材は、一方の縦葺屋根材の下ハゼに他方の縦葺屋根材の上ハゼを上から嵌め込むことにより接続される。
【先行技術文献】
【特許文献】
【０００４】
【特許文献１】特開２０１６−２０５１２０号公報
【発明の概要】
【発明が解決しようとする課題】
【０００５】
しかし、上記のような縦葺屋根材で屋根を形成する場合、各縦葺屋根材のコーナー部分では、二つの上ハゼと二つの下ハゼとが嵌合されるため、四枚の金属板が重なることになり、上下に重ねる縦葺屋根材の間に隙間が生じやすくなり、屋根の防水性や外観が低下しやすかった。
【０００６】
本発明は上記の点に鑑みてなされたものであり、防水性や外観の低下が生じにくい屋根を提供することを目的とする。
【課題を解決するための手段】
【０００７】
本発明に係る屋根の一態様は、複数の屋根材が軒棟方向と前記軒棟方向と直交する横方向とに並んでいる屋根である。前記各屋根材は、矩形の板部と、前記板部の前記軒棟方向と平行な一方の端部に設けられた嵌合部と、前記板部の前記軒棟方向と平行な他方の端部に設けられた被嵌合部とを備えている。前記嵌合部の軒棟方向の寸法及び前記被嵌合部の軒棟方向の寸法はそれぞれ前記板部の軒棟方向の寸法よりも短く形成されている。前記横方向で隣接している二つの前記屋根材は、一方の前記屋根材の前記嵌合部と他方の前記屋根材の前記被嵌合部とが嵌合している。前記軒棟方向で隣接している二つの前記屋根材は、棟側の前記屋根材の前記板部の軒側端部が、軒側の前記屋根材の前記板部の棟側端部の表面側に重ねられている。前記棟側の前記屋根材の前記嵌合部の軒側端部と、前記軒側の前記屋根材の前記嵌合部の棟側端部とは前記軒棟方向に並んで配置されており、前記棟側の前記屋根材の前記被嵌合部の軒側端部と、前記軒側の前記屋根材の前記被嵌合部の棟側端部とは前記軒棟方向に並んで配置されている。前記嵌合部の前記軒側端部と前記棟側端部及び前記被嵌合部の前記軒側端部と前記棟側端部とを覆うキャップを備える。
【発明の効果】
【０００８】
本発明では、嵌合部と被嵌合部の重なりを少なくすることができ、防水性や外観の低下が生じにくくて施工しやすい。
【図面の簡単な説明】
【０００９】
【図１】図１は、屋根に係る一実施形態を示す一部の斜視図である。
【図２】図２は、屋根材に係る一実施形態を示す斜視図である。
【図３】図３Ａは、折り曲げ部に係る一実施形態を示す側面図である。図３Ｂは、折り曲げ部に係る別の一実施形態を示す側面図である。
【図４】図４は、屋根に係る一実施形態を示す一部の分解断面図である。
【図５】図５Ａは、キャップに係る一実施形態を示す平面図である。図５Ｂは、キャップに係る一実施形態を示す正面図である。
【図６】図６Ａは、屋根の施工手順の一例を示す説明図である。図６Ｂは、屋根の施工手順の他の一例を示す説明図である。
【図７】図７Ａは、屋根の施工方法に係る一実施形態を示す一部の分解斜視図である。図７Ｂは、屋根の施工方法に係る一実施形態を示す一部の断面図である。
【図８】図８は、屋根に係る一実施形態を示す一部の平面図である。
【図９】図９は、屋根材に係る一実施形態を示す斜視図である。
【図１０】図１０は、屋根の施工方法に係る一実施形態を示す一部の分解斜視図である。
【図１１】図１１は、屋根材に係る変形例を示す一部の斜視図である。
【図１２】図１２は、屋根に係る変形例を示す一部の平面図である。
【図１３】図１３は、屋根の施工方法に係る変形例を示し、図１２のＡ−Ａ部分の断面図である。
【図１４】図１４Ａは、キャップに係る一実施形態を示す正面図である。図１４Ｂは、キャップに係る一実施形態を示す正面図である。
【図１５】図１５は、キャップに係る一実施形態を示す斜視図である。
【図１６】図１６Ａ及び図１６Ｂは、キャップに係る一実施形態を示す斜視図である。
【発明を実施するための形態】
【００１０】
以下、本発明を実施するための形態を説明する。
【００１１】
［実施形態１］
（屋根の概要）
本実施形態の屋根は、図１に示すように、屋根下地１００に複数の金属製の縦葺用の屋根材１０を敷設して形成される縦葺屋根である。複数の屋根材１０は、軒棟方向Ｘに並ぶように設置される。また他の複数の屋根材１０は、軒棟方向と直交する横方向Ｙに並ぶように設置される。横方向Ｙで隣接する二枚の屋根材１０ａ、１０ｂは、嵌合により接続されている。また軒棟方向Ｘで隣接する二枚の屋根材１０ａ、１０ｃは、縦継ぎにより接続されている。また本実施形態の屋根は、キャップ２０を備えている。
【００１２】
ここで、「軒棟方向」とは、屋根勾配に沿った方向を意味し、いわゆる水流れ方向に平行な方向である。また、「横方向」とは、軒棟方向に直交する方向のうちの水平面上の方向を意味し、本実施形態では桁行方向に該当する。
【００１３】
屋根下地１００は、屋根材１０の下地となる部分である。本実施形態の屋根は鉄骨造や木造等により構成されており、屋根下地１００は、複数の横架材１１０と、野地板１２０と、下葺材１３０とを備えている。
【００１４】
複数の横架材１１０は、横方向に沿って架け渡された構造材であり、例えば、母屋，梁，桁等により構成される。各横架材１１０は、横方向に延びている。複数の横架材１１０は、軒棟方向に一定のピッチで並んでおり、棟側の横架材１１０ほど上方に位置するように配置されている。
【００１５】
野地板１２０は、複数の横架材１１０の上方に配置される。野地板１２０は、例えば、樹脂発泡材等の芯材を金属板で挟んだサンドイッチパネルや、木質板等により構成される。野地板１２０は、屋根面に対応する部分の全面にわたって配置されている。
【００１６】
下葺材１３０は、防水性を有しており、屋内側への浸水を防ぐ。下葺材１３０は、野地板１２０の全面にわたって敷設される。下葺材１３０は、例えば、アスファルトルーフィングや、改質ゴムアスファルトルーフィング等の防水シートにより構成される。
【００１７】
なお、例えば、建物が木造の場合、屋根下地１００は、野地板１２０を下方から支持する複数の垂木を含む。複数の垂木は、各々の長手方向が軒棟方向に平行に配置されると共に、横方向に一定の間隔をおいて配置され、野地板１２０と横架材（母屋）との間に配置される。
【００１８】
（屋根材）
本実施形態において、複数の屋根材１０の各々はすべて同じ構造である。各屋根材１０は、金属板を曲げ加工することで形成されており、例えば、ロールフォーミングを用いて成型される。屋根材１０を構成する金属板としては、例えば、塗装鋼板、亜鉛めっき鋼板、ステンレス鋼板，ガルバリウム鋼板（登録商標），エスジーエル（登録商標）鋼板等により構成される。屋根材１０は、例えば、１．０ｍ以上４．０ｍ以下に形成されており、可搬性に優れている。屋根材１０は、図２に示すように、板部１１と、嵌合部１２と、被嵌合部１３とを備えている。
【００１９】
板部１１は、屋根材１０の主体を構成する部分である。板部１１は、軒棟方向に延びており、その長手方向が軒棟方向Ｘに平行となるような平面視略矩形状に形成されている。板部１１は、屋根下地１００に載るようにして設置される。板部１１は、幅方向が横方向Ｙに平行に設置される。板部１１は、屋根下地１００上に複数の屋根材１０が設置された状態において、雨水等が流通する流路を構成する。
【００２０】
板部１１の軒側端部は軒側接続部１５として形成されている。軒側接続部１５はほぼ平板状に形成されている。また板部１１の軒側接続部１５の軒側先端部は折り曲げ部１４として形成されている。折り曲げ部１４は、図３Ａ及び図３Ｂに示すように、板部１１の裏面側に向かって断面への字状に折り曲げられて形成されている。折り曲げ部１４は、いわゆるヘミング折りにより、金属板が２枚重ねになって形成されていてもよい。図３Ａに示す例では、金属板が一枚の部分に屈曲部分１４ａを設けて折り曲げ部１４を形成している。図３Ｂに示す例では、金属板が二枚の部分に屈曲部分１４ａを設けて折り曲げ部１４を形成している。板部１１の棟側端部は棟側接続部１６として形成されている。棟側接続部１６は平板状に形成されている。
【００２１】
図４に示すように、嵌合部１２は、板部１１の幅方向の端部のうちの一方の端部から立ち上げられた内側板部１２１と、内側板部１２１の上端部から横方向に延出した天板部１２２と、天板部１２２の外側の端部から下方に延出した外側板部１２３とを備え、内側板部１２１と天板部１２２と外側板部１２３とは一体に形成されている。
【００２２】
内側板部１２１は、上下方向の中間部分に内側段部１２４を有している。内側段部１２４は、上方が内側に位置するように段状に形成されている。また、外側板部１２３は、上下方向の中間部分に外側段部１２５を有している。外側段部１２５は、上方が外側に位置するように段状に形成されている。また外側板部１２３の下端部からは敷き込み片１２６が延出している。
【００２３】
被嵌合部１３は、嵌合部１２に対して上方から被せることで、嵌合部１２に嵌合するように構成されている。被嵌合部１３は、嵌合部１２を上方から覆うように形成されている。被嵌合部１３は、板部１１の横方向の端部のうち、嵌合部１２が設けられた側の端部とは反対側に設けられている。被嵌合部１３は、板部１１の横方向の一方の端部から上方に立ち上げられた内側板部１３１と、内側板部１３１の上端部から横方向に延出した天板部１３２と、天板部１３２の外側の端部から下方に延出した外側板部１３３とを備えている。
【００２４】
内側板部１３１は、上下方向の中間部分に内側引掛け部１３４を有している。内側引掛け部１３４は、上方が内側に位置するように段状に形成されており、嵌合部１２の外側段部１２５が引掛け可能に構成されている。また、外側板部１３３は、上下方向の中間部分に外側引掛け部１３６を有している。外側引掛け部１３６は、上方が外側に位置するように段状に形成されており、嵌合部１２の内側段部１２４が引掛け可能に構成されている。
【００２５】
嵌合部１２及び被嵌合部１３は、それぞれ、板部１１の長手方向（軒棟方向Ｘと同方向）に沿って長く形成されている。嵌合部１２の長手方向の寸法は、板部１１の長手方向の寸法よりも短く形成されている。被嵌合部１３の長手方向の寸法は、板部１１の長手方向の寸法よりも短く形成されている。嵌合部１２の長手方向の寸法と被嵌合部１３の長手方向の寸法とは同じである。嵌合部１２の棟側端面１２ｂと、被嵌合部１３の棟側端面１３ｂとは、横方向Ｙと平行な方向で一直線上に位置している。
【００２６】
板部１１の棟側接続部１６の棟側先端は棟側端面１２ｂ及び棟側端面１３ｂよりも棟側に突出している。棟側端面１２ｂよりも棟側には切欠部４１が形成されている。また棟側端面１３ｂよりも棟側にも切欠部４１が形成されている。各切欠部４１は棟側接続部１６の棟側先端の側方にそれぞれ位置している。
【００２７】
また嵌合部１２の軒側端面１２ａと、被嵌合部１３の軒側端面１３ａとは、横方向Ｙと平行な方向で一直線上に位置している。板部１１の軒側接続部１５の軒側先端は軒側端面１２ａ及び軒側端面１３ａよりも軒側に突出している。軒側端面１２ａよりも軒側には切欠部４２が形成されている。軒側端面１３ａよりも軒側にも切欠部４２が形成されている。各切欠部４２は軒側接続部１５の軒側先端の側方にそれぞれ位置している。
【００２８】
図２に示すように、嵌合部１２の棟側端部１２７には孔部１２８が設けられている。孔部１２８は天板部１２２を上下に貫通して形成されている。孔部１２８は平面視で丸孔または、長丸孔に形成されている。
【００２９】
被嵌合部１３の棟側端部１３７には孔部１３８が設けられている。孔部１３８は天板部１３２を上下に貫通して形成されている。孔部１３８は平面視で丸孔に形成されている。
【００３０】
また敷き込み片１２６の表面には長手方向に沿って長い突条部１２９が突出して形成されており、突条部１２９の外側において、敷き込み片１２６の軒側端部には表裏に貫通する留孔１１１が設けられている。また棟側接続部１６の被嵌合部１３側の側端部には表裏に貫通する留孔１１２が設けられている。留孔１１２は棟側端面１３ｂよりも棟側に位置している。
【００３１】
（キャップ）
本実施形態において、複数のキャップ２０の各々はすべて同じ構造であるが、異なる構造のキャップ２０を使用してもよい。
【００３２】
図４、図５Ａ及び図５Ｂに示すように、キャップ２０はキャップ本体３０とパッキン３１とを備えている。キャップ本体３０は、鋼板などの金属板を曲げ加工等することで形成されている。パッキン３１はEPDMなどのエラストマーやゴムなどの弾性体の成形品である。パッキン３１はキャップ本体３０の裏面に貼り付けて設けられている。パッキン３１はポリエチレンフォームなどで形成される定形材であってもよい。
【００３３】
キャップ２０は、装着部２１と押さえ部２２とを備えている。装着部２１は一対の対向する脚部２１０と、各脚部２１０の上端間を連結する連結部２１１とを備えている。連結部２１１の中央には厚み方向に貫通する固定孔２１２が設けられている。押さえ部２２は各脚部２１０の下端から側方に向かって突出して設けられている。各押さえ部２２は互いに反対向きに突出している。各押さえ部２２の棟側先端は、軒側に向かって下り傾斜するように形成されている。
【００３４】
（施工方法）
本実施形態の屋根は、複数の屋根材１０を横方向Ｙで一列並べて施工した後、その棟側に、別の複数の屋根材１０を横方向Ｙで並べて施工される。軒棟方向Ｘ及び横方向Ｙにおいて、屋根材１０を並べる枚数は、特に限定されず、２つ以上であればよい。図６Ａは１０個の屋根材１０を上記手順で施工する場合を示しており、複数の屋根材１０は（１）→（２）→（３）→（４）→（５）→（６）→（７）→（８）→（９）→（１０）の順で施工される。
【００３５】
上記方法を詳述する。まず、一つの屋根材１０ａを屋根下地１００に載置する。次に、別の一つの屋根材１０ｂを上記屋根材１０ａの横で屋根下地１００に載置する。ここで、横方向Ｙで隣接する屋根材１０は嵌合により接続される。すなわち、一方の屋根材１０ａの嵌合部１２に他方の屋根材１０ｂの被嵌合部１３を上側から嵌め込んで嵌合する。このとき、被嵌合部１３の内側引掛け部１３４が嵌合部１２の外側段部１２５に引っかかり、被嵌合部１３の外側引掛け部１３６が嵌合部１２の内側段部１２４に引っかかる。このようにして、横方向Ｙで隣り合う屋根材１０を接続しながら、複数の屋根材１０を一列に並べて施工する。また嵌合状態の嵌合部１２と被嵌合部１３とは、孔部１２８と孔部１３８とが上下に重なっている。
【００３６】
次に、図７Ａに示すように、一列に並べた上記複数の屋根材１０の棟側端部１６の表面に防水材４０を設ける。防水材４０はＥＰＤＭなどのエラストマーやゴムなどで形成されている。また防水材４０はポリエチレンフォームなどで形成される定形材であってもよい。
【００３７】
また防水材４０は長尺で細長いテープに形成されている。そして、防水材４０は両面粘着テープや接着剤などで棟側接続部１６の表面に貼り付けて設けられる。この場合、防水材４０は横方向Ｙと略平行に長く設けられる。また防水材４０は、嵌合された状態の嵌合部１２と被嵌合部１３との棟側（すなわち、棟側切欠部４１の部分）を通って連続して設けられる。
【００３８】
次に、防水材４０を設けた屋根材１０の棟側に、別の複数の屋根材１０を横方向Ｙに一列に並べて施工していく。ここで、軒側の屋根材１０ａの棟側接続部１６の上に、棟側の屋根材１０ｃの軒側接続部１５を重ねる。また折り曲げ部１４が軒側の屋根材１０ａの棟側接続部１６の表面側に重ねられる。また防水材４０の表面に軒側接続部１５が密着し、表裏（上下）に重なった軒側接続部１５と棟側接続部１６との間に防水材４０が介在することになる。さらに、軒側の屋根材１０ａの嵌合部１２の棟側端面１２ｂと、棟側の屋根材１０ｃの嵌合部１２の軒側端面１２ａとが突付けられ、軒側の屋根材１０ａの被嵌合部１３の棟側端面１３ｂと、棟側の屋根材１０ｃの被嵌合部１３の軒側端面１３ａとが突付けられる。また、図７Ｂに示すように、棟側の屋根材１０ｃの敷き込み片１２６の軒側端部と軒側の屋根材１０ａの棟側接続部１６の棟側端部とが重なり、留孔１１１と留孔１１２とが上下に重なる。そして、留孔１１１と留孔１１２とにビス等の固定具１１３を差し込んで、固定具１１３を野地板１２０にまで挿入する。これにより、棟側の屋根材１０ｃの嵌合部１２の横方向Ｙの位置決めがされる。このようにして、軒棟方向Ｘで隣接する屋根材１０を接続しつつ、横方向Ｙで隣り合う屋根材１０も接続しながら、複数の屋根材１０を横方向Ｙで一列に並べてさらに施工する。
【００３９】
次に、キャップ２０を取り付ける。キャップ２０は、図８に示すように、嵌合された状態の嵌合部１２と被嵌合部１３とが軒棟方向Ｘで隣接して突付けられた部分を覆うようにして、嵌合部１２の外側に被せて取り付けられる。すなわち、嵌合部１２同士の突き付け部分及び被嵌合部１３同士の突付け部分において、装着部２１の下側の空間（一対の脚部２１０と連結部２１１で囲まれる空間）に、嵌合された状態の嵌合部１２と被嵌合部１３とが嵌め込まれる。また被嵌合部１３の外面にはキャップ２０のパッキン３１が密着する。このようにして嵌合部１２同士の突付け部分及び被嵌合部１３同士の突付け部分に生じている僅かな隙間をキャップ２０の装着部２１及びパッキン３１で覆うことができ、上記僅かな隙間からの水の浸入を少なくして屋根の防水性を向上させることができる。またキャップ２０の押さえ部２２は、装着部２１を嵌め込んだ位置の側方に配置され、押さえ部２２の裏面のパッキン３１が軒側接続部１５の表面に密着している。
【００４０】
この後、固定孔２１２からドリルビスなどの固定具２１３を挿入し、嵌合された嵌合部１２の孔部１２８と被嵌合部１３の孔部１３８とを通して屋根下地１００にまでねじ込むことにより、キャップ２０が固定される。このように固定具２１３を挿入する前に、孔部１２８と孔部１３８を先孔として形成しておくことで、固定具２１３の斜め打ちが生じにくく、施工性が向上する。また固定具２１３の固定により装着部２１が被嵌合部１３を嵌合部１２の方に押圧すると共に、押さえ部２２が軒側接続部１５を棟側接続部１６の方に押圧する。このようにして複数の上記突付け部分のそれぞれにキャップ２０を取り付けることにより、上記僅かな隙間が塞がれると共に隣接する屋根材１０が強固に接続され、複数の屋根材１０と複数のキャップ２０とを備えた屋根が形成される。なお、キャップ２０の固定は固定具２１３を用いなくてもよく、例えば、嵌合部１２と被嵌合部１３とが軒棟方向Ｘで突付けられた部分にキャップ２０を被せるだけでもよい。
【００４１】
そして、本実施形態の屋根では、上記のようにしてキャップ２０を取り付けると、装着部２１におけるパッキン３１が被嵌合部１３の外面に密着することになり、上記突付け部分の僅かな間隙からの雨水等の浸入を低減することができて、屋根の防水性が向上する。また押さえ部２２におけるパッキン３１が屋根材１０の表面に密着することになり、屋根の防水性が向上する。さらに、押さえ部２２で棟側の屋根材１０ｃの板部１１の軒側端部を軒側の屋根材１０ａの板部１１の棟側端部の表面側に圧着することになり、棟側の屋根材１０ｃと軒側の屋根材１０ａとの密着性及びこれら屋根材１０と防水材４０との密着性が高まって、屋根の防水性が向上する。すなわち、キャップ２０を取り付けることにより、軒側接続部１５の口開き（軒側接続部１５が上に変形して棟側接続部１６との間に隙間が生じること）が発生しにくくなり、屋根材１０の接続部分の防水性が向上する。さらに、防水性の向上だけでなく、キャップ２０で屋根材１０を押えることにより、口開きによる屋根材１０の破壊を低減することができ、縦継ぎ部（軒側接続部１５と棟側接続部１６の接続部分）の耐風圧性能が向上する。
【００４２】
［実施形態２］
（屋根の概要）
本実施形態において、複数の屋根材１０を施工して形成される屋根の外観は、図１に示す実施形態１と同様である。
【００４３】
（屋根材）
本実施形態において、複数の屋根材１０の各々はすべて同じ構造である。各屋根材１０は、実施形態１とほぼ同様に形成され、図９に示すように、板部１１と、嵌合部１２と、被嵌合部１３とを備えている。
【００４４】
本実施形態において、板部１１は、軒側端部の構造と棟側端部の構造とを除いて、実施形態１と同様に形成されている。板部１１の軒側端部は軒側接続部１５として形成されている。軒側接続部１５は平板状に形成されている。また板部１１の軒側接続部１５の軒側端部には、軒側引っ掛け片１７が設けられている。軒側引っ掛け片１７は軒側接続部１５の軒側端部から軒側接続部１５の裏面側に折り返すように突出して形成されている。板部１１の棟側端部は棟側接続部１６として形成されている。棟側接続部１６は平板状に形成されている。また板部１１の棟側接続部１６の棟側端部には、棟側引っ掛け片１８が設けられている。棟側引っ掛け片１８は棟側接続部１６の棟側端部から棟側接続部１６の表面側に折り返すように突出して形成されている。
【００４５】
本実施形態において、嵌合部１２と被嵌合部１３とは、実施形態１と同様に形成されている。ここで、嵌合部１２の軒側端面１２ａと、被嵌合部１３の軒側端面１３ａと、棟側接続部１６の棟側先端は、横方向Ｙと平行な方向で一直線上に位置している。板部１１の軒側接続部１５の軒側先端は軒側端面１２ａ及び軒側端面１３ａよりも軒側に突出している。軒側端面１２ａよりも軒側には切欠部４２が形成されている。軒側端面１３ａよりも軒側にも切欠部４２が形成されている。各切欠部４２は軒側接続部１５の軒側先端の側方にそれぞれ位置している。
【００４６】
（キャップ）
本実施形態において、複数のキャップ２０は実施形態１と同様である。
【００４７】
（施工方法）
本実施形態の屋根は、二つの手順で施工することが可能である。
【００４８】
一つ目は、実施形態１で説明した施工手順と同様である。すなわち、複数の屋根材１０を横方向Ｙで一列並べて施工した後、その棟側に、別の複数の屋根材１０を横方向Ｙで並べて施工していく方法である。二つ目は、複数の屋根材１０を軒棟方向Ｘで一列並べて施工した後、その横に、別の複数の屋根材１０を軒棟方向Ｘで並べて施工していく方法である。軒棟方向Ｘ及び横方向Ｙにおいて、屋根材１０を並べる枚数は、特に限定されず、２つ以上であればよい。図６Ａは１０個の屋根材１０を上記一つ目の手順で施工する場合を示しており、図６Ｂは１０個の屋根材１０を上記一つ目の手順で施工する場合を示している。それぞれの場合において、複数の屋根材１０は（１）→（２）→（３）→（４）→（５）→（６）→（７）→（８）→（９）→（１０）の順で施工される。
【００４９】
一つ目の施工手順を詳述する。図１０に示すように、まず、一つの屋根材１０ａを屋根下地１００に載置する。次に、別の一つの屋根材１０ｂを上記屋根材１０ａの横で屋根下地１００に載置する。このとき、実施形態１と同様にして、横方向Ｙで隣接する屋根材１０は嵌合により接続される。
【００５０】
次に、屋根材１０の棟側に、別の複数の屋根材１０を横方向Ｙに一列に並べて施工していく。ここで、軒側の屋根材１０ａの棟側接続部１６の上に、棟側の屋根材１０ｃの軒側接続部１５を重ねる。また軒側の屋根材１０ａの棟側引っ掛け片１８と、棟側の屋根材１０ｃの軒側引っ掛け片１７とを引っ掛ける。この場合、軒側引っ掛け片１７を棟側引っ掛け片１８と軒側の屋根材１０ａの棟側接続部１６との間に差し入れるようにする。さらに、軒側の屋根材１０ａの嵌合部１２の棟側端部と、棟側の屋根材１０ｃの嵌合部１２の軒側端部との間、及びに軒側の屋根材１０ａの被嵌合部１３の棟側端部と、棟側の屋根材１０ｃの被嵌合部１３の軒側端部との間に、間隙４５が設けられる。このようにして、軒棟方向Ｘで隣接する屋根材１０を接続しつつ、横方向Ｙで隣り合う屋根材１０も接続しながら、複数の屋根材１０を横方向Ｙで一列に並べてさらに施工する。
【００５１】
次に、キャップ２０を取り付ける。キャップ２０は、図１０に示すように、嵌合された状態の嵌合部１２と被嵌合部１３とが軒棟方向Ｘで隣接した部分を覆うようにして、被嵌合部１３の外側に被せて取り付けられる。すなわち、軒棟方向Ｘで対向する嵌合部１２の間及び軒棟方向Ｘで対向する被嵌合部１３の間に形成された間隙４５を覆うようにして、装着部２１の下側の空間（一対の脚部２１０と連結部２１１で囲まれる空間）に、嵌合された状態の嵌合部１２と被嵌合部１３とが嵌め込まれる。また被嵌合部１３の外面にはキャップ２０のパッキン３１が密着する。このようにして隙間４５をキャップ２０の装着部２１及びパッキン３１で覆うことができ、隙間４５からの水の浸入を少なくして屋根の防水性を向上させることができる。またキャップ２０の押さえ部２２は、装着部２１を嵌め込んだ位置の側方に配置され、押さえ部２２の裏面のパッキン３１が軒側接続部１５の表面に密着している。
【００５２】
この後、実施形態１と同様にして、固定孔２１２からドリルビスなどの固定具２１３を挿入し、間隙４５を通して屋根下地１００にまでねじ込むことにより、キャップ２０が固定される。また固定具２１３の固定により装着部２１が被嵌合部１３を嵌合部１２の方に押圧すると共に、押さえ部２２が軒側接続部１５を棟側接続部１６の方に押圧して圧着する。このようにして複数の間隙４５の部分のそれぞれにキャップ２０を取り付けることにより、隙間４５が塞がれると共に隣接する屋根材１０が強固に接続され、複数の屋根材１０と複数のキャップ２０とを備えた屋根が形成される。なお、キャップ２０の固定は固定具２１３を用いなくてもよく、例えば、嵌合部１２と被嵌合部１３とが軒棟方向Ｘで隣接した部分にキャップ２０を被せるだけでもよい。
【００５３】
二つ目の方法を詳述する。まず、一つの屋根材１０ａを屋根下地１００に載置する。次に、別の一つの屋根材１０ｃを上記屋根材１０ａの棟側で屋根下地１００に載置する。ここで、軒側の屋根材１０ａの棟側接続部１６の上に、棟側の屋根材１０ｃの軒側接続部１５が重ねられる。また軒側の屋根材１０ａの棟側引っ掛け片１８と、棟側の屋根材１０ｃの軒側引っ掛け片１７とを引っ掛ける。この場合、軒側引っ掛け片１７を棟側引っ掛け片１８と軒側の屋根材１０ａの棟側接続部１６との間に差し入れるようにする。さらに、軒側の屋根材１０ａの嵌合部１２の棟側端部と、棟側の屋根材１０ｃの嵌合部１２の軒側端部との間、及びに軒側の屋根材１０ａの被嵌合部１３の棟側端部と、棟側の屋根材１０ｃの被嵌合部１３の軒側端部との間に、間隙４５が設けられる。このようにして、軒棟方向Ｘで隣接する屋根材１０を接続しながら、軒棟方向Ｘに沿って複数の屋根材１０を一列に並べて施工する。
【００５４】
次に、軒棟方向Ｘに沿って一列に並べた上記複数の屋根材１０の横に、別の複数の屋根材１０を軒棟方向Ｘに沿って一列に並べて施工していく。ここで、横方向Ｙで隣接する屋根材１０は嵌合により接続される。すなわち、一方の屋根材１０ａの嵌合部１２に他方の屋根材１０ｂの被嵌合部１３を上側から嵌め込んで嵌合する。このとき、被嵌合部１３の内側引掛け部１３４が嵌合部１２の外側段部１２５に引っかかり、被嵌合部１３の外側引掛け部１３６が嵌合部１２の内側段部１２４に引っかかる。このようにして、横方向Ｙで隣接する屋根材１０を接続しつつ、軒棟方向Ｘで隣り合う屋根材１０も接続しながら、複数の屋根材１０を軒棟方向Ｘに一列に並べてさらに施工する。
【００５５】
次に、上記と同様にしてキャップ２０を取り付けることにより、複数の屋根材１０と複数のキャップ２０とを備えた屋根が形成される。
【００５６】
このように本実施形態（実施形態２）では、軒棟方向Ｘで隣り合う嵌合部１２及び被嵌合部１３の間に間隙４５を設けることにより、軒棟方向Ｘで隣り合う屋根材１０の施工位置に誤差が生じても間隙４５の範囲で屋根材１０を軒棟方向Ｘで移動させることができ、誤差を吸収することができ、しかも、このようにして誤差を吸収しても、間隙４５がキャップ２０で覆われるために、防水性が低下しにくい。
【００５７】
また、上記のようにしてキャップ２０を取り付けると、装着部２１におけるパッキン３１が被嵌合部１３の外面に密着することになり、上記間隙４５からの雨水等の浸入を低減することができて、屋根の防水性が向上する。また押さえ部２２におけるパッキン３１が屋根材１０の表面に密着することになり、屋根の防水性が向上する。さらに、押さえ部２２で棟側の屋根材１０ｃの板部１１の軒側端部を軒側の屋根材１０ａの板部１１の棟側端部の表面側に圧着することになり、棟側の屋根材１０と軒側の屋根材１０と密着性が高まって、屋根の防水性が向上する。すなわち、キャップ２０を取り付けることにより、棟側引掛け片18と軒側引掛け片17との引掛けが外れにくくなり、軒側接続部１５の口開き（軒側接続部１５が上に変形して棟側接続部１６との間に隙間が生じること）が発生しにくくなり、屋根材１０の接続部分の防水性が向上する。さらに、防水性の向上だけでなく、キャップ２０で屋根材１０を押えることにより、口開きによる屋根材１０の破壊を低減することができ、縦継ぎ部（軒側接続部１５と棟側接続部１６の接続部分）の耐風圧性能が向上する。
【００５８】
また軒側の屋根材１０ａの棟側引っ掛け片１８と、棟側の屋根材１０ｃの軒側引っ掛け片１７とを引っ掛けることにより、軒側の屋根材１０ａと棟側の屋根材１０ｃとを接続するので、防水材を使用しなくても接続部分の防水性を確保することができる。なお、必要であれば、防水材を使用してもよい。また、棟側引掛け片18と、軒側引掛け片17とを引掛けることにより、軒側接続部１５の口開きが発生しにくくなり、屋根材１０の接続部分の防水性が向上する。さらに、防水性の向上だけでなく、棟側引っ掛け片１８と軒側引っ掛け片１７とを引っ掛けることにより、口開きによる屋根材１０の破壊を低減することができ、縦継ぎ部（軒側接続部１５と棟側接続部１６の接続部分）の耐風圧性能が向上する。
【００５９】
さらに、軒棟方向Ｘに複数の屋根材１０を並べて施工した後に横方向Ｙに複数の屋根材１０を並べて施工する方法と、横方向Ｙに複数の屋根材１０を並べて施工した後に軒棟方向Ｘに複数の屋根材１０を並べて施工する方法のいずれの手順でも施工することができ、施工の手順の制限が少なくて施工が行いやすい。
【００６０】
［変形例］
（屋根材の変形例）
実施形態１及び２では、軒棟方向Ｘにおける板部１１の寸法よりも、軒棟方向Ｘにおける嵌合部１２及び被嵌合部１３の寸法が短く形成されていればよく、これにより、軒棟方向Ｘで隣接する屋根材１０の嵌合部１２同士が重ならないようにすることができるとともに、軒棟方向Ｘで隣接する屋根材１０の被嵌合部１３同士も重ならないようにすることができる。したがって、曲げ加工により形成された嵌合部１２同士や被嵌合部１３同士を重ね合わせる必要がなく、屋根材１０の施工性が向上する。
【００６１】
また防水材４０は施工現場で屋根材１０に貼り付けるだけでなく、工場で貼り付けてもよい。この場合、防水材４０を棟側接続部１６の表面に貼り付けると共に、防水材４０の端部が棟側切欠部４１から突出するようにする。そして、横方向で屋根材１０を隣接して配置した際に、防水材４０の端部が重なって配置される。
【００６２】
（実施形態１の屋根材１０の変形例）
実施形態１の屋根材１０において、隣接する屋根材１０の重なる部分を少なくするために、及び軒棟方向Ｘで隣接する屋根材１０の接続部分（縦継ぎ部）の防水性をより向上させるために、屋根材１０を施工する前に、予め、屋根材１０の一部を切除（プレカット）してもよい。例えば、図１１に示すように、図２の屋根材１０において、屋根材１０の軒側端部を切除している。被嵌合部１３側の切除部分（実線と想像線で囲まれる部分）４６は、被嵌合部１３側の切欠部４２の周辺に沿って、板部１１の一部と内側板部１３１の一部がそれぞれ切除されている。嵌合部１２側の切除部分（実線と想像線で囲まれる部分）４７は、嵌合部１２側の切欠部４２の周辺に沿って、板部１１の一部と天板部１２２の一部と、外側板部１２３の一部と、敷き込み片１２６の一部とがそれぞれ切除されている。
【００６３】
このような屋根材１０は、実施形態１と同様に施工される。ここで、横方向Ｙで隣接する屋根材１０は嵌合部１２と被嵌合部１３との嵌合により接続される。軒棟方向Ｘで隣接する屋根材１０は、被嵌合部１３同士が突付けられて施工されるが、嵌合部１２同士は切除部分４７が形成されているため、内側板部１２１以外は突付けられず、間隙４５が形成されている。また図１２に示すように、切除部分４６及び４７には、その軒側端部において防水材４０が露出されているとともに、防水材４０よりも軒側において、軒側の屋根材１０の棟側接続部１６が露出している。
【００６４】
そして、上記と同様にして、被嵌合部１３の外側にはキャップ２０がはめ込まれて取り付けられてるが、図１３に示すように、キャップ２０のパッキン３１が切除部分４６及び４７から露出する防水材４０及び棟側接続部１６の表面に密着する。これにより、実施形態１のキャップ２０による効果に加えて、パッキン３１と防水材４０との密着により、隣接する屋根材１０の接続部分の防水性が確保される。
【００６５】
（キャップの変形例）
キャップ本体３０は、屋根材１０を形成する金属板よりも厚い金属板を加工して形成することができるが、図１４Ａのように、屋根材１０を形成する金属板と同種の金属板（共材）を用いてキャップ本体３０を形成してもよい。この場合、キャップ本体３０と屋根材１０との材料の共通化が図れてコストを低減することができる。
【００６６】
また、キャップ２０は樹脂製等であってもよい。
【００６７】
また、キャップ２０の外側に装着する化粧部材５０をさらに備えていてもよい。この場合、化粧部材５０はキャップ２０の外面にほぼ沿った形状に形成され、図１４Ｂに示すように、装着部カバー部５１と、一対の押さえ部カバー部５２とを有している。そして、化粧部材５０は、キャップ２０を固定具２１３で固定した後、装着部カバー部５１を装着部２１に嵌め込んでキャップ２０に取り付けられる。このようにして化粧部材５０で、固定具２１３の頭部を含むキャップ２０の外面を覆うことができ、屋根の外観を向上させることができる。
【００６８】
また、化粧部材５０の裏面（キャップ２０側の面）の全面または縁部にパッキンを設けてもよく、この場合、化粧部材５０の裏面のパッキンがキャップ２０の外面に密着して、防水性が向上する。なお、化粧部材５０の裏面にパッキンを設けた場合は、上記実施形態１及び２よりもキャップ２０の大きさをやや小さめにするのが好ましい。
【００６９】
また、図１５に示すように、キャップ本体３０は、固定孔２１２の周辺において、連結部２１１の表面に凹部２１５を設けてもよい。凹部２１５は固定孔２１２を全周にわたって設けられている。このような凹部２１５を設けた場合には、固定具２１３の頭部が凹部２１５内に収まって、固定具２１３が目立ちにくくなり、屋根の外観を向上させることができる。
【００７０】
また図１６Ａ及び図１６Ｂに示すように、キャップ２０に蓋５５を設けるようにしてもよい。この蓋５５は固定孔２１２を上方から覆うものである。蓋５５はキャップ２０の連結部２１１の長手方向の一端に取り付けられている。そして、図１６Ａのように、蓋５５を回転させて固定孔２１２を見えるようにした状態で、固定孔２１２に固定具２１３を挿入した後、図１６Ｂのように、蓋５５を装着部２１０の上に被せて固定孔２１２及び固定具２１３を覆うようにする。これにより、固定孔２１２及び固定具２１３に雨水が直接作用しにくくなって、防水性が向上する。
【００７１】
［まとめ］
本実施形態は以下の特徴を有する。
【００７２】
第１の態様は、複数の屋根材（１０）が軒棟方向（Ｘ）と軒棟方向（Ｘ）と直交する横方向（Ｙ）とに並んでいる屋根である。各屋根材（１０）は、矩形の板部（１１）と、板部（１１）の軒棟方向（Ｘ）と平行な一方の端部に設けられた嵌合部（１２）と、板部（１１）の軒棟方向（Ｘ）と平行な他方の端部に設けられた被嵌合部（１３）とを備える。嵌合部（１２）の軒棟方向（Ｘ）の寸法及び被嵌合部（１３）の軒棟方向（Ｘ）の寸法はそれぞれ板部（１１）の軒棟方向（Ｘ）の寸法よりも短く形成されている。横方向（Ｙ）で隣接している二つの屋根材（１０ａ、１０ｂ）は、一方の屋根材（１０ａ）の嵌合部（１２）と他方の屋根材（１０ｂ）の被嵌合部（１３）とが嵌合している。軒棟方向（Ｘ）で隣接している二つの屋根材（１０ａ、１０ｃ）は、棟側の屋根材（１０ｃ）の板部（１１）の軒側端部が、軒側の屋根材（１０ａ）の板部１１の棟側端部の表面側に重ねられている。棟側の屋根材（１０ｃ）の嵌合部（１２）の軒側端部と、軒側の屋根材（１０ａ）の嵌合部（１２）の棟側端部とは軒棟方向（Ｘ）に並んで配置されている。棟側の屋根材（１０ｃ）の被嵌合部（１３）の軒側端部と、軒側の屋根材（１０ａ）の被嵌合部（１３）の棟側端部とは軒棟方向（Ｘ）に並んで配置されている。嵌合部（１２）の軒側端部と棟側端部及び被嵌合部（１３）の前記軒側端部と前記棟側端部とを覆うキャップ（２０）を備える。
【００７３】
この場合、軒棟方向（Ｘ）で隣接する嵌合部（１２）同士及び被嵌合部（１３）同士を嵌合しないために、嵌合部（１２）同士の接続部分及び被嵌合部（１３）同士の接続部分に嵌合による隙間が生じにくくなり、防水性や外観の低下が生じにくい。
【００７４】
第２の態様は、第１の態様において、少なくとも、棟側の屋根材（１０ｃ）の被嵌合部（１３）の軒側端面（１３ａ）と、軒側の屋根材（１０ａ）の被嵌合部（１３）の棟側端面（１３ｂ）とが突付けられている。
【００７５】
この場合、嵌合部（１２）同士の突付け部分と被嵌合部（１３）同士の突付け部分で生じる僅かな隙間をキャップ（２０）で覆うことができ、防水性や外観の低下が生じにくい。
【００７６】
第３の態様は、第１の態様において、棟側の屋根材（１０ｃ）の嵌合部（１２）の軒側端面（１２ａ）と、軒側の屋根材（１０ａ）の嵌合部（１２）の棟側端面（１２ｂ）との間に間隙（４５）を有する。棟側の屋根材（１０ｃ）の被嵌合部（１３）の軒側端面（１３ａ）と、軒側の屋根材（１０ａ）の被嵌合部（１３）の棟側端面（１３ｂ）との間に間隙（４５）を有している。
【００７７】
この場合、間隙（４５）により、軒棟方向（Ｘ）で隣接する屋根材（１０）の施工位置の誤差や寸法誤差を吸収することができ、防水性や外観の低下が生じにくい。
【００７８】
第４の態様は、第１ないし３のいずれか一つの態様において、各キャップ（２０）は、突付け部分を覆って嵌合部（１２）及び被嵌合部（１３）に装着されている装着部（２１）と、装着部（２１）から横方向（Ｙ）に突出する押さえ部（２２）とを備える。押さえ部（２２）は、棟側の屋根材（１０ｃ）の板部（１１）の軒側端部を軒側の屋根材（１０ａ）の板部（１１）の棟側端部の表面側に圧着している。
【００７９】
この場合、キャップ（２０）で棟側の屋根材（１０ｃ）と軒側の屋根材（１０ａ）の接続強度を高めることができ、防水性を向上させることができる。
【００８０】
第５の態様は、第１ないし４のいずれか一つの態様において、棟側の屋根材（１０ｃ）は、板部（１１）の軒側先端部に板部（１１）の裏面側に断面への字状に折り曲げられた折り曲げ部（１４）を備える。折り曲げ部（１４）が軒側の屋根材（１０ａ）の板部（１１）の棟側端部の表面側に重ねられている。
【００８１】
この場合、折り曲げ部（１４）により軒側の屋根材（１０ａ）と棟側の屋根材（１０ｃ）の重ね合わせ部分に水が浸入しにくくなり、防水性が向上する。
【００８２】
第６の態様は、第１ないし５のいずれか一つの態様において、棟側の屋根材（１０ｃ）の板部（１１）の軒側端部の裏面と、軒側の屋根材（１０ａ）の板部（１１）の棟側端部の表面との間に防水材（４０）を設けている。
【００８３】
この場合、防水材（４０）により軒側の屋根材（１０ａ）と棟側の屋根材（１０ｃ）の重ね合わせ部分に水が浸入しにくくなり、防水性が向上する。
【符号の説明】
【００８４】
１０  屋根材
１１  板部
１２  嵌合部
１２ａ  軒側端面
１２ｂ  棟側端面
１３  被嵌合部
１３ａ  軒側端面
１３ｂ  棟側端面
１４  折り曲げ部
２０  キャップ
２１  装着部
２２  押さえ部
４０  防水材
４５  間隙
Ｘ  軒棟方向
Ｙ  横方向
【図１】
2020029756.tif 000003
【図２】
2020029756.tif 000004
【図３】
2020029756.tif 000005
【図４】
2020029756.tif 000006
【図５】
2020029756.tif 000007
【図６】
2020029756.tif 000008
【図７】
2020029756.tif 000009
【図８】
2020029756.tif 000010
【図９】
2020029756.tif 000011
【図１０】
2020029756.tif 000012
【図１１】
2020029756.tif 000013
【図１２】
2020029756.tif 000014
【図１３】
2020029756.tif 000015
【図１４】
2020029756.tif 000016
【図１５】
2020029756.tif 000017
【図１６】
2020029756.tif 000018